(57)【要約】【課題】表示体に対し基板が起立されても第１表示部及び第２表示部を照明する。【解決手段】インジケータ１０では、インジケータプレート１８に第１表示部２０及び第２表示部２２が設けられており、インジケータプレート１８の後側にランプシェード３４が配置されると共に、インジケータプレート１８に対しフレキシブル基板２４が起立されている。ここで、フレキシブル基板２４が曲げられており、フレキシブル基板２４の第１照明部３０がランプシェード３４の右側において第１表示部２０を照明すると共に、フレキシブル基板２４の第２照明部３２がランプシェード３４の左側において第２表示部２２を照明する。このため、第１表示部２０及び第２表示部２２を照明できる。【選択図】図２
2018180287.tif 000002
【特許請求の範囲】
【請求項１】
第１表示部及び第２表示部が設けられる表示体と、
曲がった状態で前記表示体に対し起立され、第１照明部及び第２照明部が設けられる基板と、
前記第１照明部が前記第１表示部側に配置されて前記第１表示部を照明すると共に、前記第２照明部が前記第２表示部側に配置されて前記第２表示部を照明し、かつ、前記第１照明部と前記第２照明部との間における光の透過を制限する制限体と、
を備える表示装置。
【請求項２】
前記制限体が前記第１照明部と前記第１照明部との間及び前記第２照明部と前記第２照明部との間の少なくとも一方における光の透過を制限する請求項１記載の表示装置。
【請求項３】
前記制限体を収容し、前記制限体との間に前記基板が組付けられる収容体を備える請求項１又は請求項２記載の表示装置。
【発明の詳細な説明】
【技術分野】
【０００１】
本発明は、表示体の表示部を照明する表示装置に関する。
【背景技術】
【０００２】
下記特許文献１に記載のシフトインジケータでは、文字盤に複数の報知部が並べられて設けられると共に、プリント基板に複数の発光ダイオードが設けられており、複数の発光ダイオードが複数の報知部をそれぞれ照明する。
【０００３】
ここで、このようなシフトインジケータでは、仮に、文字盤に複数の報知部からずれて追加報知部が設けられると共に、文字盤の裏側に複数の報知部と追加報知部との間において仕切り板が設けられる場合において、文字盤に対しプリント基板が起立されると、プリント基板に追加発光ダイオードが設けられても、複数の報知部及び追加報知部を照明することは困難である。
【先行技術文献】
【特許文献】
【０００４】
【特許文献１】特開２００４−２３３４６６号公報
【発明の概要】
【発明が解決しようとする課題】
【０００５】
本発明は、上記事実を考慮し、表示体に対し基板が起立されても第１表示部及び第２表示部を照明できる表示装置を得ることが目的である。
【課題を解決するための手段】
【０００６】
請求項１に記載の表示装置は、第１表示部及び第２表示部が設けられる表示体と、曲がった状態で前記表示体に対し起立され、第１照明部及び第２照明部が設けられる基板と、前記第１照明部が前記第１表示部側に配置されて前記第１表示部を照明すると共に、前記第２照明部が前記第２表示部側に配置されて前記第２表示部を照明し、かつ、前記第１照明部と前記第２照明部との間における光の透過を制限する制限体と、を備える。
【０００７】
請求項２に記載の表示装置は、請求項１に記載の表示装置において、前記制限体が前記第１照明部と前記第１照明部との間及び前記第２照明部と前記第２照明部との間の少なくとも一方における光の透過を制限する。
【０００８】
請求項３に記載の表示装置は、請求項１又は請求項２に記載の表示装置において、前記制限体を収容し、前記制限体との間に前記基板が組付けられる収容体を備える。
【発明の効果】
【０００９】
請求項１に記載の表示装置では、表示体に第１表示部及び第２表示部が設けられており、表示体に対し基板が起立される。さらに、基板に第１照明部及び第２照明部が設けられており、制限体が第１照明部と第２照明部との間における光の透過を制限する。
【００１０】
ここで、基板が曲がっており、第１照明部が制限体の第１表示部側に配置されて第１表示部を照明すると共に、第２照明部が制限体の第２表示部側に配置されて第２表示部を照明する。このため、表示体に対し基板が起立されても、第１表示部及び第２表示部を照明できる。
【００１１】
請求項２に記載の表示装置では、制限体が第１照明部と第１照明部との間及び第２照明部と第２照明部との間の少なくとも一方における光の透過を制限する。このため、第１表示部及び第２表示部の少なくとも一方が不要に照明されることを抑制できる。
【００１２】
請求項３に記載の表示装置では、収容体が制限体を収容しており、収容体と制限体との間に基板が組付けられる。このため、基板を容易に組付けることができる。
【図面の簡単な説明】
【００１３】
【図１】本発明の実施形態に係るインジケータを示す右斜め前方から見た斜視図である。
【図２】本発明の実施形態に係るインジケータを示す右斜め前方から見た分解斜視図である。
【発明を実施するための形態】
【００１４】
図１には、本発明の実施形態に係る表示装置としてのインジケータ１０が右斜め前方から見た斜視図にて示されており、図２には、インジケータ１０が右斜め前方から見た分解斜視図にて示されている。なお、図面では、インジケータ１０の前方を矢印ＦＲで示し、インジケータ１０の左方を矢印ＬＨで示し、インジケータ１０の上方を矢印ＵＰで示す。
【００１５】
本実施形態に係るインジケータ１０は、シフト装置としてのシフトレバー装置（図示省略）に設けられている。シフトレバー装置は、車両（自動車）の運転席の車両右側（車幅方向内側）における設置体としてのセンタコンソール（図示省略）に設置されており、シフトレバー装置の前方、右方及び上方は、それぞれ車両の前方、右方及び上方に向けられている。
【００１６】
シフトレバー装置には、シフト体としての略長尺棒状のシフトレバー（図示省略）が設けられている。シフトレバーは、下端部（基端部）を中心として、前後方向（シフト方向）及び左右方向（セレクト方向）に回動（移動）可能にされており、シフトレバーは、上端部（先端部）において、車両の乗員（特に運転手）によって回動操作可能にされている。シフトレバーは、前側から後側に回動操作されて、シフト位置としての「Ｐ」位置（パーキング位置）、「Ｒ」位置（リバース位置）、「Ｎ」位置（ニュートラル位置）、「Ｄ」位置（ドライブ位置）にこの順番で配置される（図１参照）。さらに、シフトレバーは、「Ｄ」位置から左側（運転席側）に回動操作されて、シフト位置としての「Ｓ」位置（シーケンシャル位置）に配置されると共に、「Ｓ」位置から前側及び後側に回動操作されて、それぞれシフト位置としての「＋」位置（プラス位置）及び「−」位置（マイナス位置）に配置される（図１参照）。
【００１７】
シフトレバー装置には、検出装置（図示省略）が設けられており、検出装置は、シフトレバーのシフト位置を検出する。
【００１８】
シフトレバー装置には、シフトレバーの左側（運転席側）において、インジケータ１０（図１及び図２参照）が設けられており、インジケータ１０の前方、右方及び上方は、それぞれシフトレバー装置の上方、右方及び前方に向けられている。
【００１９】
インジケータ１０には、収容体としての略直方体形箱状のケース１２が設けられており、ケース１２の前面は、開口されている。ケース１２内の右面及び左面には、それぞれ係止部としての略円柱状の係止ピン１４が一対一体形成されており、各係止ピン１４は、ケース１２内に突出されると共に、各対の係止ピン１４は、上下方向に並べられている。ケース１２内の上面及び下面には、それぞれ左右方向中央において係合部としての断面矩形状の係合溝１６が一体形成されており、各係合溝１６は、前後方向に延伸されると共に、前側に開放されている。
【００２０】
ケース１２内の前端には、表示体としての矩形板状のインジケータプレート１８が固定されており、インジケータプレート１８は、ケース１２の前面開口を閉塞している。インジケータプレート１８の右側部分には、上側から下側に向けて、第１表示部２０である「Ｐ」表示２０Ａ、「Ｒ」表示２０Ｂ、「Ｎ」表示２０Ｃ、「Ｄ」表示２０Ｄがこの順番で設けられており、「Ｐ」表示２０Ａ、「Ｒ」表示２０Ｂ、「Ｎ」表示２０Ｃ、「Ｄ」表示２０Ｄは、上下方向に一列に並べられている。インジケータプレート１８の左側部分には、上側から下側に向けて、第２表示部２２である「＋」表示２２Ａ、「Ｓ」表示２２Ｂ、「−」表示２２Ｃがこの順番で設けられており、「＋」表示２２Ａ、「Ｓ」表示２２Ｂ、「−」表示２２Ｃは、上下方向に一列に並べられると共に、「Ｓ」表示２２Ｂは、「Ｄ」表示２０Ｄの左側に配置されている。また、インジケータプレート１８の第１表示部２０及び第２表示部２２の部分は、光を前後方向に透過可能にされている。
【００２１】
ケース１２内には、基板としての長尺矩形板状のフレキシブル基板２４（回路基板）が設けられており、フレキシブル基板２４は、幅方向が前後方向に平行に配置されて、インジケータプレート１８に対し起立されている。フレキシブル基板２４は、可撓性を有して、長手方向においてＵ字状に曲げられており、フレキシブル基板２４は、右側かつ下側の角部及び左側かつ下側の角部が湾曲されると共に、内部が上側に開放されている。
【００２２】
フレキシブル基板２４の右部及び左部には、それぞれ被係止部としての円状の係止孔２６が一対貫通形成されており、各対の係止孔２６は、上下方向に並べられている。各係止孔２６には、ケース１２の係止ピン１４が嵌入されており、これにより、フレキシブル基板２４の前後方向及び上下方向の移動が係止されている。フレキシブル基板２４の下端の左右方向中央には、前部において、矩形状の挿通孔２８が貫通形成されており、挿通孔２８は、前側に開放されている。
【００２３】
フレキシブル基板２４の右部の内側面（左面）には、上側から下側に向けて、第１照明部３０である「Ｐ」ＬＥＤ３０Ａ、「Ｒ」ＬＥＤ３０Ｂ、「Ｎ」ＬＥＤ３０Ｃ、「Ｄ」ＬＥＤ３０Ｄがこの順番で設けられており、「Ｐ」ＬＥＤ３０Ａ、「Ｒ」ＬＥＤ３０Ｂ、「Ｎ」ＬＥＤ３０Ｃ、「Ｄ」ＬＥＤ３０Ｄは、それぞれインジケータプレート１８の「Ｐ」表示２０Ａ、「Ｒ」表示２０Ｂ、「Ｎ」表示２０Ｃ、「Ｄ」表示２０Ｄの後側に配置されている。フレキシブル基板２４の左部の内側面（右面）には、上側から下側に向けて、第２照明部３２である「＋」ＬＥＤ３２Ａ、「Ｓ」ＬＥＤ３２Ｂ、「−」ＬＥＤ３２Ｃがこの順番で設けられており、「＋」ＬＥＤ３２Ａ、「Ｓ」ＬＥＤ３２Ｂ、「−」ＬＥＤ３２Ｃは、それぞれインジケータプレート１８の「＋」表示２２Ａ、「Ｓ」表示２２Ｂ、「−」表示２２Ｃの後側に配置されている。また、第１照明部３０及び第２照明部３２は、フレキシブル基板２４に電気的に接続されている。
【００２４】
フレキシブル基板２４の左部の内側面には、上端部において、コネクタ２４Ａが設けられており、フレキシブル基板２４は、コネクタ２４Ａを介して車両の制御装置（図示省略）に電気的に接続されている。制御装置には、シフトレバー装置の検出装置が電気的に接続されており、シフトレバー装置のシフトレバーが「Ｐ」位置、「Ｒ」位置、「Ｎ」位置、「Ｄ」位置、「Ｓ」位置、「＋」位置、「−」位置に配置された際には、それぞれ、制御装置の制御により、「Ｐ」ＬＥＤ３０Ａ、「Ｒ」ＬＥＤ３０Ｂ、「Ｎ」ＬＥＤ３０Ｃ、「Ｄ」ＬＥＤ３０Ｄ、「Ｓ」ＬＥＤ３２Ｂ、「＋」ＬＥＤ３２Ａ、「−」ＬＥＤ３２Ｃが発光される。このため、それぞれ、「Ｐ」ＬＥＤ３０Ａ、「Ｒ」ＬＥＤ３０Ｂ、「Ｎ」ＬＥＤ３０Ｃ、「Ｄ」ＬＥＤ３０Ｄ、「Ｓ」ＬＥＤ３２Ｂ、「＋」ＬＥＤ３２Ａ、「−」ＬＥＤ３２Ｃが前側に光を放射して、インジケータプレート１８の「Ｐ」表示２０Ａ、「Ｒ」表示２０Ｂ、「Ｎ」表示２０Ｃ、「Ｄ」表示２０Ｄ、「Ｓ」表示２２Ｂ、「＋」表示２２Ａ、「−」表示２２Ｃが照明表示される。
【００２５】
ケース１２内には、フレキシブル基板２４の内側において、制限体としてのランプシェード３４が収容されており、ランプシェード３４は、光を透過不能にされている。ランプシェード３４の左右方向中央部には、第１制限部としての矩形板状の縦板３４Ａが設けられており、縦板３４Ａは、左右方向に垂直に配置されると共に、上下方向に延伸されている。縦板３４Ａの下端の前部には、被係合部としての矩形板状の係合板３４Ｂが一体形成されており、係合板３４Ｂは、左右方向に垂直に配置されると共に、下方に突出されている。ランプシェード３４には、第２制限部としての矩形板状の横板３４Ｃが複数（本実施形態では４個）設けられており、横板３４Ｃは、上下方向に垂直に配置されると共に、左右方向に延伸されている。横板３４Ｃの左右方向中央部は、縦板３４Ａと一体にされており、複数の横板３４Ｃは、上下方向に等間隔に配置されている。
【００２６】
ランプシェード３４は、ケース１２の後壁とインジケータプレート１８と間に狭持されており、これにより、ランプシェード３４の前後方向への移動が係止されている。ランプシェード３４の縦板３４Ａの上端部は、ケース１２の上側の係合溝１６に係合（嵌合）されると共に、ランプシェード３４の係合板３４Ｂは、フレキシブル基板２４の挿通孔２８に挿通されて、ケース１２の下側の係合溝１６に係合（嵌合）されており、これにより、ランプシェード３４の上下方向及び左右方向への移動が係止されている。ランプシェード３４の複数の横板３４Ｃとケース１２の右壁及び左壁との間には、それぞれフレキシブル基板２４の右部及び左部が狭持されており、これにより、フレキシブル基板２４の左右方向への移動が係止されている。
【００２７】
ランプシェード３４の右側の下端部を除く部分における縦板３４Ａ及び横板３４Ｃは、上側から下側に向けて、第１照明室３６である「Ｐ」照明室３６Ａ、「Ｒ」照明室３６Ｂ、「Ｎ」照明室３６Ｃ、「Ｄ」照明室３６Ｄをこの順番で形成しており、「Ｐ」照明室３６Ａ、「Ｒ」照明室３６Ｂ、「Ｎ」照明室３６Ｃ、「Ｄ」照明室３６Ｄは、それぞれ、インジケータプレート１８の「Ｐ」表示２０Ａ、「Ｒ」表示２０Ｂ、「Ｎ」表示２０Ｃ、「Ｄ」表示２０Ｄの後側に配置されると共に、フレキシブル基板２４の「Ｐ」ＬＥＤ３０Ａ、「Ｒ」ＬＥＤ３０Ｂ、「Ｎ」ＬＥＤ３０Ｃ、「Ｄ」ＬＥＤ３０Ｄが収容されている。各第１照明室３６は、閉鎖されており、各第１照明室３６から他の第１照明室３６及び下記第２照明室３８への光の透過が制限される。
【００２８】
ランプシェード３４の左側かつ下側の部分における縦板３４Ａ及び横板３４Ｃは、上側から下側に向けて、第２照明室３８である「＋」照明室３８Ａ、「Ｓ」照明室３８Ｂ、「−」照明室３８Ｃをこの順番で形成しており、「＋」照明室３８Ａ、「Ｓ」照明室３８Ｂ、「−」照明室３８Ｃは、それぞれ、インジケータプレート１８の「＋」表示２２Ａ、「Ｓ」表示２２Ｂ、「−」表示２２Ｃの後側に配置されると共に、フレキシブル基板２４の「＋」ＬＥＤ３２Ａ、「Ｓ」ＬＥＤ３２Ｂ、「−」ＬＥＤ３２Ｃが収容されている。各第２照明室３８は、閉鎖されており、各第２照明室３８から他の第２照明室３８及び第１照明室３６への光の透過が制限される。
【００２９】
次に、本実施形態の作用を説明する。
【００３０】
以上の構成のインジケータ１０では、シフトレバー装置のシフトレバーが「Ｐ」位置、「Ｒ」位置、「Ｎ」位置、「Ｄ」位置に配置された際に、それぞれ、フレキシブル基板２４の第１照明部３０である「Ｐ」ＬＥＤ３０Ａ、「Ｒ」ＬＥＤ３０Ｂ、「Ｎ」ＬＥＤ３０Ｃ、「Ｄ」ＬＥＤ３０Ｄが発光されて、インジケータプレート１８の第１表示部２０である「Ｐ」表示２０Ａ、「Ｒ」表示２０Ｂ、「Ｎ」表示２０Ｃ、「Ｄ」表示２０Ｄが照明表示される。さらに、シフトレバー装置のシフトレバーが「Ｓ」位置、「＋」位置、「−」位置に配置された際には、それぞれ、フレキシブル基板２４の第２照明部３２である「Ｓ」ＬＥＤ３２Ｂ、「＋」ＬＥＤ３２Ａ、「−」ＬＥＤ３２Ｃが発光されて、インジケータプレート１８の第２表示部２２である「Ｓ」表示２２Ｂ、「＋」表示２２Ａ、「−」表示２２Ｃが照明表示される。
【００３１】
ところで、インジケータプレート１８では、複数の第１表示部２０が上下方向において一列に並べられると共に、複数の第２表示部２２が上下方向において一列に並べられており、複数の第１表示部２０と複数の第２表示部２２とが左右方向においてずれて配置されている。さらに、インジケータプレート１８の後側にランプシェード３４が配置されると共に、インジケータプレート１８に対しフレキシブル基板２４が前後方向に起立されている。
【００３２】
ここで、フレキシブル基板２４が長手方向においてＵ字状に曲げられており、フレキシブル基板２４の右部の複数の第１照明部３０がランプシェード３４の右側においてインジケータプレート１８の右側部分の複数の第１表示部２０をそれぞれ照明すると共に、フレキシブル基板２４の左部の複数の第２照明部３２がランプシェード３４の左側においてインジケータプレート１８の左側部分の複数の第２表示部２２をそれぞれ照明する。このため、インジケータプレート１８に対しフレキシブル基板２４が前後方向に起立された場合でも、複数の第１表示部２０及び複数の第２表示部２２を照明できる。
【００３３】
さらに、上述の如く、インジケータプレート１８に対しフレキシブル基板２４が前後方向に起立されている。このため、フレキシブル基板２４が前後方向に垂直に配置される場合とは異なり、フレキシブル基板２４の左右方向寸法を極限まで小さくでき、インジケータ１０を左右方向において極限まで小型化できる。これにより、インジケータ１０の意匠性を向上できると共に、インジケータ１０が設置されるセンタコンソールにおいて他の装置（例えばカップホルダ）の設置スペースを大きくできる。
【００３４】
また、ケース１２内において、ランプシェード３４の右側部分が複数の第１照明室３６を形成すると共に、ランプシェード３４の左側部分が複数の第２照明室３８を形成しており、各第１照明室３６から他の第１照明室３６及び第２照明室３８への光の透過が制限されると共に、各第２照明室３８から他の第２照明室３８及び第１照明室３６への光の透過が制限される。このため、各第１照明室３６の第１照明部３０が前側の対応する第１表示部２０以外の第１表示部２０及び第２表示部２２を不要に照明することを抑制できると共に、各第２照明室３８の第２照明部３２が前側の対応する第２表示部２２以外の第２表示部２２及び第１表示部２０を不要に照明することを抑制できる。
【００３５】
さらに、ケース１２にフレキシブル基板２４が組付けられる際には、ケース１２内にフレキシブル基板２４が挿入されて、ケース１２の各係止ピン１４がフレキシブル基板２４の各係止孔２６に嵌入された後に、フレキシブル基板２４の内側にランプシェード３４が挿入されて、ケース１２の右壁及び左壁とランプシェード３４の複数の横板３４Ｃとの間にそれぞれフレキシブル基板２４の右部及び左部が狭持される。このため、フレキシブル基板２４をケース１２にランプシェード３４によって固定でき、フレキシブル基板２４をケース１２に固定する別部品を不要にできて、ケース１２にフレキシブル基板２４を容易に組付けることができる。
【００３６】
なお、本実施形態では、第１表示部２０及び第１照明部３０をそれぞれ複数設けた。しかしながら、第１表示部２０及び第１照明部３０をそれぞれ１個のみ設けてもよい。
【００３７】
さらに、本実施形態では、第２表示部２２及び第２照明部３２をそれぞれ複数設けた。しかしながら、第２表示部２２及び第２照明部３２をそれぞれ１個のみ設けてもよい。
【００３８】
また、本実施形態では、ケース１２、インジケータプレート１８及びランプシェード３４を別体にした。しかしながら、ケース１２及びランプシェード３４を一体にしてもよく、又は、インジケータプレート１８及びランプシェード３４を一体にしてもよい。
【００３９】
さらに、本実施形態では、フレキシブル基板２４（基板）が曲げられて曲部を形成される。しかしながら、基板が曲部を有する形状に成形されてもよい。
【００４０】
また、本実施形態では、インジケータ１０をセンタコンソールに設置した。しかしながら、インジケータ１０を車両のセンタコンソール以外の設置体（例えばインストルメントパネル）に設置してもよい。
【符号の説明】
【００４１】
１０    インジケータ（表示装置）
１２    ケース（収容体）
１８    インジケータプレート（表示体）
２０    第１表示部
２２    第２表示部
２４    フレキシブル基板（基板）
３０    第１照明部
３２    第２照明部
３４    ランプシェード（制限体）
【図１】
2018180287.tif 000003
【図２】
2018180287.tif 000004